(57)【特許請求の範囲】
【請求項１】
被施療部に貼着して当該被施療部に電流を出力する電極部と、この電極部にパルスを出力するパルス出力部と、このパルス出力部に電流を供給する電源部と、前記電極部と使用者の人体を介して導通する対電極部とを備えた美容機器において、
前記対電極部を使用者の耳に当接させるための耳装着部を備え、
前記耳装着部は、前記電源部を内蔵した本体ケースに設けられた耳掛部を有し、当該耳掛部により前記本体ケースを使用者の耳に掛止可能とし、
前記電極部と前記本体ケースとは電極接続ケーブルで接続されており、
前記本体ケースに筒状部を有するイヤホンが突設され、前記筒状部に前記対電極部が配設されていることを特徴とする美容機器。
【請求項２】
前記耳装着部は、前記本体ケースの略中央で、前記本体ケースの長手方向に向けた枢軸に枢支されていることを特徴とする請求項１に記載の美容機器。
【請求項３】
前記耳装着部は、前記本体ケースから斜め方向に延出した略直線状の立ち上がり部と、前記立ち上がり部の先端から緩やかな曲線を描くように折り返して形成した前記耳掛部とを折曲部を介して構成されていることを特徴とする請求項１又は請求項２に記載の美容機器。
【請求項４】
前記本体ケースは、発音手段を内蔵することを特徴とする請求項１乃至請求項３のいずれかに記載の美容機器。
【請求項５】
前記発音手段からの音声を前記イヤホンから出力することを特徴とする請求項１乃至請求項４のいずれかに記載の美容機器。
【発明の詳細な説明】
【技術分野】
【０００１】
本発明は、イオン化溶液中に含まれるイオン化成分をパルス出力部からのパルスによって被施療部へ導入する美容機器に関する。
【背景技術】
【０００２】
従来、顔面に生じたシミや皺を改善する方法の一つとして、イオン化したビタミン類やミネラル分（以下、イオン化成分ともいう。）を肌に浸透させる方法が知られている。
【０００３】
例えば、顔面のシミや皺が生じた部位（以下、被施療部ともいう。）に美容液を塗布したり、ペースト状やシート状のパックを被施療部に貼付したりすることで、美容液やパック中のイオン化成分を顔面皮膚に吸収させることができる。
【０００４】
しかしながら、これらの方法では、イオン化成分を単に浸透圧で皮膚に浸透させているだけであり、皮膚の深部に至るまで効率良くイオン化成分を導入することはできなかった。
【０００５】
そこで、持続平流発生装置の出力端子に、薬液を含侵させた脱脂綿にて被覆した電極部と、この電極部と逆の極性となる対電極部とをそれぞれ接続し、人体を介して電極部から対電極部に向けて電流を導通することにより、前記脱脂綿に含浸させた薬液中のイオン化成分を皮膚中に効率よく浸透させる美容機器が提案されている（例えば、特許文献１参照。）。
【０００６】
この美容機器によれば、イオン化成分と電子との間に働く引力や斥力を利用して、皮膚の深部にいたるまでイオン化成分を導入することができ、皮膚に生じたシミや皺を改善することができるとしている。
【特許文献１】特開昭６０−１５６４７５号公報
【発明の開示】
【発明が解決しようとする課題】
【０００７】
しかしながら、上記特許文献１に開示された従来の美容機器では、例えば図１５を参照すると、使用者が対電極部を人体の任意の位置に貼り付けることができるように構成されているため、使用者の体質や貼り付け位置によっては、対電極部と接触した皮膚がヒリヒリしたり、炎症を起こしたりするおそれがあった。
【０００８】
また、対電極部は、皮膚に粘着して固定するよう構成しており、対電極部に配設されたゲル状の粘着材が使用者に不快感を与えるおそれがあった。
【０００９】
本発明は、斯かる事情に鑑みてなされたものであって、使用者が美容機器を装着すると、対電極部は人体の比較的炎症の起こりにくい場所に位置することとなり、しかも、粘着材を使うことなく人体に対電極部を掛止可能な美容機器を提供する。
【課題を解決するための手段】
【００１０】
上記従来の課題を解決するために、本発明に係る美容機器では、被施療部に貼着して当該被施療部に電流を出力する電極部と、この電極部にパルスを出力するパルス出力部と、このパルス出力部に電流を供給する電源部と、前記電極部と使用者の人体を介して導通する対電極部とを備えた美容機器において、前記対電極部を使用者の耳に当接させるための耳装着部を備えることとした。
【００１１】
また、本発明は、以下の点にも特徴を有する。
（１）前記耳装着部は、前記電源部を内蔵した本体ケースに設けられた耳掛部を有し、当該耳掛部により前記本体ケースを使用者の耳に掛止可能とし、前記電極部と前記本体ケースとは電極接続ケーブルケーブルで接続されており、前記本体ケースに筒状部を有するイヤホンが突設され、前記筒状部に前記対電極部が配設されていること。
（２）前記耳装着部は、前記本体ケースの略中央で、前記本体ケースの長手方向に向けた枢軸に枢支されていること。
（３）前記耳装着部は、前記本体ケースから斜め方向に延出した略直線状の立ち上がり部と、前記立ち上がり部の先端から緩やかな曲線を描くように折り返して形成した前記耳掛部とを折曲部を介して構成されていること。
（４）前記本体ケースは、発音手段を内蔵すること。
（５）前記イヤホンは、前記発音手段からの音声を出力すること。
【発明の効果】
【００１２】
本発明によれば、対電極部を使用者の耳に当接させるための耳装着部を備えることとしたため、人体の他の部位に比して炎症を起こしにくい耳部近傍に、粘着材を使用することなく対電極部を配設することができる。
【発明を実施するための最良の形態】
【００１３】
本実施形態に係る美容機器は、被施療部に貼着して当該被施療部に電流を出力する電極部と、この電極部にパルスを出力するパルス出力部と、このパルス出力部に電流を供給する電源部と、前記電極部と使用者の人体を介して導通する対電極部とを備えた美容機器において、前記対電極部を使用者の耳に当接させるための耳装着部を備えることを特徴としている。
【００１４】
このような美容機器は、例えば、イオン化溶液中に含まれるイオン化成分を前記パルス出力部からのパルスによって前記被施療部へ導入するいわゆるイオン導入器として使用することができる。
【００１５】
また、本発明に係る美容機器は、前述のイオン導入器に限定されず、電気的な力を利用した美容機器において適用され、例えば皮膚の老廃物等をイオンの力で導出させる、いわゆるイオンクレンジング器にも好適であることはいうまでもない。
【００１６】
ここで、被施療部の位置は、特に限定されるものではないが、例えばイオン導入器の場合は顔面を挙げることができ、また、被施療部の施療対象は、シミ、皺、そばかす、日焼け等である。また、本発明に係る美容機器を前述のイオンクレンジング器に適用した場合には、施療部位は使用者が皮膚の老廃物を取り除きたい場所であり、施療対象は老廃物となる。
【００１７】
また、電極部は導電性のある金属や樹脂で形成した電極板に、イオン化成分を含浸させた粘着材を貼付して構成している。この粘着材は電極板に固定していても良く、また、着脱自在としても良い。
【００１８】
そして、電極板を、イオン化溶液を含有する粘着材を介して皮膚（施療部位）にあてがうことにより、電極板と皮膚との間の電位勾配によりイオン化成分が施療部位に浸透するようにしている。
【００１９】
また、対電極部も電極部と同様に、導電性のある金属や樹脂で形成した対電極板を供えており、通電可能に構成しているが、電極板とは逆の極性となるようにしている。
【００２０】
したがって、電極板から出力された電流は、粘着材を通り、人体を介して対電極板へ流れることとなる。
【００２１】
また、この際、電極部（電極板）からは、パルス（パルス電流）が出力されるようにしている。このパルスの振幅やデューティー比などの各条件は特に限定されるものではなく、仕様や使用条件に合わせて適宜選択することができる。
【００２２】
このパルスは、電源部から供給される電流を、パルス出力部で変換することにより形成されるようにしている。
【００２３】
そして、本発明の特徴的な構成は、対電極部を使用者の耳に当接させるための耳装着部を備えたことにある。
【００２４】
人体の耳は、比較的汗腺の数が少なく、汗をあまりかかない部位として知られている。それゆえ、電極部より出力されたパルスが人体内を通らず、汗に濡れた体表面を導通してしまう、いわゆる短絡やリークを効果的に防ぐことができる。なお、短絡は、皮膚表面を刺激して、かゆみや炎症を起こすおそれのあるものとして知られている。
【００２５】
耳装着部の形状は、耳に装着可能であれば特に限定されるものではなく、仕様や使用条件に合わせて適宜設定することができる。
【００２６】
耳装着部の好適な例としては、たとえば、前記耳装着部は、前記電源部を内蔵した本体ケースに設けられた耳掛部を有し、当該耳掛部により前記本体ケースを使用者の耳に掛止可能とすることができる。このような構成とすることにより、比較的重量のある電源部を収容した本体ケースであっても、耳に掛けることができ、使用者は違和感なく本体ケースを身につけて固定することができる。
【００２７】
また、前記本体ケースは発音手段を内蔵することができる。ここで発音手段は、音を発するものであれば特に限定されるものではなく、ブザーやチャイムで構わないが、任意の音楽を再生することのできるミュージックプレイヤーなどとしても良い。
【００２８】
発音手段を、例えばブザーやチャイムとした場合には、美容機器から使用者に対して発せられる施術開始や施術終了の確認や警告等を、視覚に頼ることなく使用者に認識させることができるとともに、発音手段を安価に形成することができる。
【００２９】
また、発音手段を、例えばMP3プレイヤーのようなミュージックプレイヤーとした場合には、施術中には、使用者に音楽等を聞かせて、より快適な使用感を与えることができる。なお、この場合であっても、前述の確認や警告等を、視覚に頼ることなく使用者に認識させるようにブザー音やチャイム音が発生されるようにすることが望ましい。
【００３０】
また、前記耳掛部に前記対電極部を設けるようにしても良い。このような構成とすることにより、発汗量の少ない耳に対電極部（対電極板）を確実に当接させることができ、しかも、耳装着部を耳にしっかりと掛止させることができる。
【００３１】
また、前記発音手段からの音声を出力するイヤホンを前記本体ケースに設けるようにしても良い。このように構成することで、周囲にできるだけ音声を漏らすことなく、使用者に対して音声を認識させることができる。また、使用者の周囲に騒音があっても、使用者は容易に音声を認識することができる。
【００３２】
しかも、このイヤホンに、前記対電極部を設けることができる。イヤホンは外耳道に挿入して使用するものであるから、例えば、イヤホンの筒状部の外表面に対電極板を配設して対電極部とすることにより、対電極板が耳（外耳道内壁）に接触することとなり、発汗量のより少ない耳の穴内に対電極部（対電極板）を確実に当接させることができる。
【００３３】
すなわち、対電極部による皮膚への刺激を効果的に抑制し、しかも、使用者が違和感を感じることのない美容機器とすることができる。
【００３４】
以下、本発明に係る美容機器の具体的な構成について、図面を用いながら詳説する。
【００３５】
〔第１実施例〕
先ず、本発明に係る美容機器の一例を、図１〜図４を用いて説明する。図１（ａ）は、本発明に係る美容機器Ａの全体を示した説明図であり、図１（ｂ）は、後述する電極部10のＡ−Ａ断面を示した説明図である。
【００３６】
図１（ａ）に示すように、本発明に係る美容機器Ａは、被施療部に当接させて電流を出力する外観視略半円形状の電極部10と、同電極部10に送給するためのパルス電流を生成する外観視楕円形状の本体ケース20と、同本体ケース20から略Ｕ字状に延設された耳装着部30とで構成しており、電極部10と本体ケース20とは導電性を有する電極接続ケーブル40で接続している。
【００３７】
電極部10は、図１（ｂ）に示すように、外観の形状を保持するための化粧板11と、同化粧板11と略同形状とし導電性を有する金属にて形成した電極板12と、イオン化溶液を含浸させた状態で保持可能なイオン化溶液含浸粘着材13とを積層させて形成している。
【００３８】
化粧板11は、導電性を有しない比較的軽量な合成樹脂にて形成しており、前述のイオン化溶液含浸粘着材13が肌に粘着している際に、化粧板11の重みで肌から離脱しないようにしている。
【００３９】
電極板12は、本体ケース20から送給されるパルス電流をイオン化溶液含浸粘着材13へ流す役割を担うものであり、その一部が電極接続ケーブル40と連結されている。
【００４０】
イオン化溶液含浸粘着材13は、イオン化溶液を含浸させたゲル状の粘着材であり、一側面を電極板12に当接し、他側面を被施療部に粘着させてイオン化溶液を皮膚中に浸透させる役割を担っている。
【００４１】
次に、本体ケース20について説明する。図１（ａ）に示すように、本体ケース20は、略楕円平板状に形成した外観を有するとともに、その一面側を外面部21とし、他面側を腹面部22としている。
【００４２】
外面部21には、電源を投入するための電源スイッチ23と、電源のＯＮ／ＯＦＦを示す電源ランプ24と、電極部10の極性を反転させるための極性反転スイッチ25と、電極部10に送給するパルス電流の大小を調整するための切替スイッチ26とを備えている。
【００４３】
これらのスイッチを操作することにより、本体ケース20内に収容されている本体基板37に信号を送り、美容機器Ａの操作を行うことができるよう構成している。
【００４４】
なお、この本体基板37については、後に図３を用いて説明する。
【００４５】
一方、腹面部22には、本体ケース20のやや上方端部よりに突設した筒状部28を有するイヤホン27が設けられている。
【００４６】
筒状部28の表面には、前述の対電極板を配設して対電極部31を形成しており、この対電極部31が外耳道の内壁に接触することにより、顔面に貼付した電極部10との間で人体を介して通電することができるようにしている。
【００４７】
また、腹面部22には、略Ｕ字状に形成した耳装着部30を回動自在に枢支している。具体的な構成については図２に示す。
【００４８】
図２（ａ）は、本体ケース20の腹面部22に枢支した耳装着部30の可動方向を示す説明図であり、図２（ｂ）は、使用者が本発明に係る美容機器Ａを耳に装着した際の耳装着部30の状態を示す説明図である。
【００４９】
耳装着部30は、本体ケース20から斜め方向に延出した略直線状の立ち上がり部34と、同立ち上がり部34の先端から緩やかな曲線を描くように折り返して形成した耳掛部35とを折曲部36を介して構成している。
【００５０】
そして、耳装着部30を耳に装着した場合、立ち上がり部34は、耳の付け根前方から耳の付け根上部近傍に沿って配設され、折曲部36を介して耳の付け根上部から耳の付け根後方に沿って配設されることとなる。
【００５１】
それゆえ、折曲部36近傍や耳掛部35が、耳の付け根上部近傍や耳の付け根後方に掛けて当接することとなるため、イヤホン27（対電極部31）を外耳道内壁に接触させた状態で、本体ケース20を耳に固定することができる。
【００５２】
そして、図２（ａ）にも示すように、耳装着部30は、本体ケース20の略中央で、本体ケース20の長手方向に向けた枢軸32に枢支し、左右方向に向けて回動可能に構成している。
【００５３】
従って、図２（ｂ）に示すように、左右どちらの耳に電極部10を当接させた場合であっても、本体ケース20は顎下から耳方向へ向けて前低後高状態に配設することができる。
【００５４】
次に、図３を用いて本体ケース20の内部に収容した、美容機器Ａを制御するための本体基板37について説明する。図３は、本体基板37の構成を示すブロック図である。
【００５５】
図３に示すように、本体基板37は、被施療部に電流を出力したり、後述する各回路を駆動させたりするための電源部41と、同電源部41に接続され、美容機器Ａの制御を行う制御部42とを備えている。
【００５６】
また、制御部42には、美容機器Ａの電源のＯＮ／ＯＦＦを行うための電源スイッチ23と、電極部10と対電極部31との極性を反転させるための極性反転スイッチ25と、電極部10より出力する電流の大小を調節する切替スイッチ26と、美容機器Ａの駆動状態を示す電源ランプ24とを接続している。
【００５７】
さらに、制御部42には、電極部10にパルスを出力するパルス出力部43を接続しており、制御部42からの信号に応じて、電源部41より供給される電流をパルスに変換して出力する役割を担っている。
【００５８】
このパルス出力部には、被施療部に貼着して当該被施療部に電流を出力する電極部10と、前記電極部と使用者の人体を介して導通する対電極部31とが接続されている。
【００５９】
また、制御部42には、音楽や効果音等を所定のデータ形式（例えば、ＭＰ３形式）で記憶するためのメモリ44と、同メモリ44に記憶させたデータを読み出して音声信号に変換する発音手段としての音声再生部45とを接続しており、音声再生部45には同音声再生部45からの音声を出力するためのイヤホン27を接続している。
【００６０】
そして、このような構成の本体基板37を有する美容機器Ａによれば、以下の様な動作を行うこととなる。
【００６１】
まず、電源スイッチ23をＯＮ動作すると、電源部41より制御部42に電流が供給され、電源ランプ24が点灯し、制御部42はパルス出力部43にパルス出力を指示する信号を送信する。
【００６２】
パルス出力部43は、制御部42からのパルス出力を指示する信号を受信すると、制御部42を介して電源部41からの電流を受けてパルスに変換し、電極部10に出力する。
【００６３】
パルスは、電極部10の電極板12からイオン化溶液含浸粘着材13を介して人体を通り、電極部と反対の極性を有する対電極部31に導通することとなる。
【００６４】
この際、電極部10のイオン化溶液含浸粘着材13からは、電極板12の極性と反対の極性を有するイオン化成分が人体側へ向かって流れ、イオン化溶液含浸粘着材13と当接する被施療部にイオン化成分を浸透させることとなる。
【００６５】
また、制御部42は、メモリ44から音声データ（例えば、音楽データ）の読み出しを行い、同音声データを音声再生部45に供給する。
【００６６】
音声再生部45では、供給された音声データを音声信号に変換し、イヤホン27から音声（例えば、音楽）を出力する。これにより、使用者は、音声や音楽を聴きながら施療を行うことができるのである。
【００６７】
また、ここで、極性反転スイッチ25をＯＮ動作すると、制御部42は、パルス出力部43に、電極部10と対電極部31との極性を入れ替える信号を送出する。
【００６８】
これにより、イオン化溶液含浸粘着材13に含まれるイオン化成分のうち、極性反転スイッチ25をＯＮ動作する前に被施療部へ向けて浸透させていたイオン化成分とは逆の極性を有するイオン化成分を被施療部に向けて容易に浸透させることができる。
【００６９】
また、切替スイッチ26をＯＮ動作すると、制御部42は、電源部41からパルス出力部43へ送給する電流の大小を切り替え、電極部10から出力されるパルスの振幅が変更されることとなる。
【００７０】
これにより、電極部10から被施療部へ向けて供給するイオン化溶液含浸粘着材13に含まれるイオン化成分の量を増減させることができる。
【００７１】
このようにして施療を所定時間行うと、制御部42は、メモリ44に予め記憶させておいた施療終了を知らせる音声データ（例えば、「施療が終了しました」の音声データ）の読み出しを行い、この音声データを音声再生部45に供給する。
【００７２】
音声再生部45では、音声データを音声信号に変換し、イヤホン27から施療終了を知らせる音声を出力することとなる。
【００７３】
この音声を聞いた使用者は、電源スイッチ23をＯＦＦ動作することにより、電源部41から供給される電流を遮断し、電極部10から被施療部へ向けて供給するイオン化成分の流れを止めることができる。
【００７４】
次に、図４を用いて、本実施形態に係る美容機器Ａの使用状態について説明する。図４は、美容機器Ａを装着して施療中の使用者Ｐを示した説明図である。
【００７５】
図４に示すように、使用者Ｐは、美容機器Ａの耳装着部30に形成した耳掛部35により本体ケース20を使用者Ｐの耳に掛止すると共に、本体ケース20の腹面部22に突設したイヤホン27を外耳道に挿入しており、また、電極部10を顔面Ｆの目元下の施療部に貼付して、施療を行っている。
【００７６】
なお、この際、イヤホン27の筒状部28には対電極部31が配設されており、この対電極部31は使用者Ｐの外耳道内壁に接触した状態となっている。
【００７７】
それゆえ、本実施形態に係る美容機器Ａによれば、使用者Ｐが美容機器Ａを装着すると、対電極部31は人体の比較的炎症の起こりにくい耳に位置することとなり、対電極部31と接触した皮膚がヒリヒリしたり、炎症を起こしたいりすることを防止できる。
【００７８】
また、対電極部31は、粘着材を使うことなく人体に掛止することができるため、ゲル状の粘着材が使用者に不快感を与えるおそれがない。
【００７９】
しかも、電池など比較的重さのある電源部41を本体ケース20に収容し、この本体ケース20を耳掛部35により使用者の耳に係止可能としているため、施療時に使用者Ｐが多少動いても、美容機器Ａの着用状態が不安定になることがなく、電極部10が施療部から剥離したり、美容機器Ａを落下させてしまうことを防止できる。
【００８０】
〔第２実施例〕
次に、他の実施形態としての第２実施例について図５を用いて説明する。図５は本発明に係る美容機器Ａの他の実施例を示した説明図である。なお、以下の説明において、前述の構成と同様の部分については説明を省略する場合がある。
【００８１】
図５にも示すように、本第２実施例では、美容機器Ａを略眼鏡状としている点に特徴を有している。
【００８２】
具体的には、眼鏡の左右両側に配設したツルにあたる部位を本体ケース20と耳装着部30とし、眼鏡の下部レンズフレームにあたる部位に左右２つの電極部10を配設し、眼鏡の鼻当てにあたる部位に、制御部42、パルス出力部43、メモリ44、音声再生部45を収容している。
【００８３】
本体ケース20には、第１実施例と同様に、電源スイッチ23と、極性反転スイッチ25と、切替スイッチ26と、電源ランプ24とを配設して使用者Ｐが操作可能に構成している。また、本体ケース20の内部には、電源部41を収容している。
【００８４】
本体ケース20の後方端部には、耳装着部30を延設しており、使用者Ｐの耳の付け根後方に向けて略Ｌ字状に屈曲させて耳掛部35を形成している。
【００８５】
この耳掛部35には、対電極部31が設けられており、前述の２つの電極部10との間で人体（使用者Ｐ）を介して導通可能としている。
【００８６】
このように、本第２実施例に示す美容機器Ａによっても、使用者Ｐが美容機器Ａを装着すると、対電極部31は人体の比較的炎症の起こりにくい耳（耳の裏の付け根部分）に位置することとなり、対電極部31と接触した皮膚がヒリヒリしたり、炎症を起こしたりすることを防止できる。
【００８７】
また、対電極部31は、粘着材を使うことなく人体に掛止することができるため、ゲル状の粘着材が使用者に不快感を与えるおそれがない。
【００８８】
しかも、電池など比較的重さのある電源部41を本体ケース20に収容し、この本体ケース20を耳掛部35により使用者の耳に係止可能としているため、施療時に使用者Ｐが多少動いても、美容機器Ａの着用状態が不安定になることがなく、電極部10が施療部から剥離したり、美容機器Ａを落下させてしまうことを防止できる。
【００８９】
〔第３実施例〕
次に、他の実施形態としての第３実施例について図６を用いて説明する。図６は本発明に係る美容機器Ａの他の実施例を示した説明図である。
【００９０】
第１実施例や第２実施例では、耳装着部30には耳掛部35を形成していたが、本第３実施例では、図６にも示すように、耳装着部30は有しているが、耳掛部35を備えていない。そして、本体ケース20と耳装着部30はそれぞれ別体に形成している点に特徴を有している。
【００９１】
具体的に説明すると、本第３実施例における使用者Ｐは、本体ケース20から延出する２本の電極接続ケーブル40,40の先端に配設された電極部10,10を左右両方の目元に貼付する一方、本体ケース20から延出する１本の対電極接続ケーブル61の先端に配設された略Ｃ字状でクリップとして機能する耳装着部30を、耳介62の耳垂部63に挟着している。
【００９２】
また、耳垂部63と接触する耳装着部30の端面には、対電極部31,31を配設しており、前述の２つの電極部10との間で人体（使用者Ｐ）を介して導通可能としている。
【００９３】
この図６に示すような構成によっても、本発明に係る美容機器Ａを実現させることができ、しかも、対電極部31は人体の比較的炎症の起こりにくい耳（耳垂部63）に位置させることができるため、対電極部31と接触した皮膚がヒリヒリしたり炎症を起こすことを防止できる。
【００９４】
〔第４実施例〕
次に、他の実施形態としての第４実施例について図７を用いて説明する。図７は本発明に係る美容機器Ａの他の実施例を示した説明図である。
【００９５】
本第４実施例における美容機器Ａは、第１実施例で示した美容機器Ａと基本的な構成を同じくするが、電極部10が顔面Ｆの略全体を覆っている点に特徴を有している。
【００９６】
すなわち、本第４実施例における電極部10は、顔面Ｆ略全体にフィットするようなフェイスマスク形状としており、使用者Ｐの目部64,64と、鼻部65と、口部66とを露出するように露出孔67,67…（本第４実施例では４カ所）を形成している。
【００９７】
このような構成とすることにより、電極部10に配設したイオン化溶液含浸粘着材13のイオン化成分を、顔面Ｆ略全体に浸透させることができる。
【００９８】
また、使用者Ｐが美容機器Ａを装着すると、対電極部31は人体の比較的炎症の起こりにくい耳（本第４実施形態では外耳道）に位置することとなり、対電極部31と接触した皮膚がヒリヒリしたり、炎症を起こしたりすることを防止できる。
【００９９】
また、対電極部31は、粘着材を使うことなく人体に掛止することができるため、ゲル状の粘着材が使用者に不快感を与えるおそれがない。
【０１００】
しかも、電池など比較的重さのある電源部41を本体ケース20に収容し、この本体ケース20を耳掛部35により使用者の耳に係止可能としているため、施療時に使用者Ｐが多少動いても、美容機器Ａの着用状態が不安定になることがなく、電極部10が施療部から剥離してしまうことを防止できる。
【０１０１】
上述してきたように、本実施形態に係る美容機器Ａでは、シミや皺などが生じた被施療部に貼着して当該被施療部に電流を出力する電極部（例えば、電極部10）と、この電極部にパルスを出力するパルス出力部（例えば、パルス出力部43）と、このパルス出力部に電流を供給する電源部（例えば、電源部41）と、前記電極部と使用者（例えば、使用者Ｐ）の人体を介して導通する対電極部（例えば、対電極部31）とを備えたイオン化溶液含浸粘着材13に含浸させたイオン化溶液中に含まれるイオン化成分を前記パルス出力部からのパルスによって前記被施療部へ導入する美容機器において、前記対電極部を使用者の耳に当接させるための耳装着部（例えば、耳装着部30）を備えることを特徴とする美容機器（美容機器Ａ）としているため、使用者が美容機器を装着すると、対電極部は人体の比較的炎症の起こりにくい場所に位置することとなり、しかも、粘着材を使うことなく人体に対電極部を掛止可能な美容機器とすることができる。
【０１０２】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることはもちろんである。
【０１０３】
例えば、図１に示した構成では、本体ケース20に接続する電極部10を一つだけ設けているが、例えば、二つや三つなど複数個設けるようにしても良い。
【０１０４】
また、実施例１〜４では、主にイオン導入器について説明してきたが、本発明に係る美容機器Ａは、イオンクレンジング器としても勿論使用可能である。例えば、イオン化溶液含浸粘着材13に替えて、クレンジング液や美容液等の薬液をしみこませた綿体を電極部10の電極板12に貼付し、電極部１０をプラス電位にし、皮膚側をマイナス電位にして使用することにより、被施療部の老廃物を効率的に除去することができる。
【図面の簡単な説明】
【０１０５】
【図１】本発明に係る美容機器の外観、及び、電極部のＡ−Ａ断面を示した説明図である。
【図２】本体ケースの腹面部に枢支した耳装着部の可動方向を示す説明図、及び、耳に装着した際の耳装着部の状態を示す説明図である。
【図３】本体ケース内に収容した本体基板の構成を示すブロック図である。
【図４】美容機器を装着して施療中の使用者を示した説明図である。
【図５】他の実施例に係る美容機器を装着して施療中の使用者を示した説明図である。
【図６】他の実施例に係る美容機器を装着して施療中の使用者を示した説明図である。
【図７】他の実施例に係る美容機器を装着して施療中の使用者を示した説明図である。
【符号の説明】
【０１０６】
10  電極部
13  イオン化溶液含浸粘着材
20  本体ケース
27  イヤホン
28  筒状部
30  耳装着部
31  対電極部
35  耳掛部
37  本体基板
41  電源部
42  制御部
43  パルス出力部
44  メモリ
45  音声再生部
62  耳介
63  耳垂部
Ａ  美容機器
Ｆ  顔面
Ｐ  使用者
【図１】
0005128932.tif 000002
【図２】
0005128932.tif 000003
【図３】
0005128932.tif 000004
【図４】
0005128932.tif 000005
【図５】
0005128932.tif 000006
【図６】
0005128932.tif 000007
【図７】
0005128932.tif 000008